Podtech/llm-jp-corpus-v4-ja_patent huggingface dataset:
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
換気特性が可変のフィルタ付きタバコ（１０、２０、３０）であって、
喫煙可能材料のロッド（１）と、
前記タバコのロッド（１）に隣接して当接するフィルタセグメント（３１）と、前記フィルタ付きタバコの前記フィルタセグメント（３１）に許容される空気のレベルを変更するように前記フィルタセグメント（３１）に対して長手方向軸の周りで回転可能である要素（３４）とを含む、前記喫煙可能材料のロッドに取り付けられるマウスピース（３）と、
前記フィルタ付きタバコの外周の周りを円周方向に延びる目盛り（９）と位置表示マーカー（７）とを含む換気インジケータ（５）と、
を備え、
前記目盛り（９）は、前記フィルタ付きタバコ（１０、２０、３０）の前記長手方向軸の周りに対称であり、前記位置表示マーカー（７）及び前記目盛り（９）は、前記フィルタ付きタバコ（１０、２０、３０）の長手方向軸の周りを互いに相対回転可能であり、前記位置表示マーカー（７）及び前記目盛り（９）の一方は前記回転要素（３４）と一緒に回転し、前記フィルタセグメントに許容される空気のレベルは、前記位置表示マーカー（７）と、長手方向に並んだ前記目盛り（９）の先端との間の長手方向の距離によって示される、フィルタ付きタバコ。
【請求項２】
前記目盛りは、前記フィルタ付きタバコの長手方向軸に対して鋭角のラインを備える、請求項１に記載のフィルタ付きタバコ。
【請求項３】
前記ラインは実線である、請求項２に記載のフィルタ付きタバコ。
【請求項４】
前記目盛りは、複数の円周方向に離間した別個のマーカーを含む、請求項１に記載のフィルタ付きタバコ。
【請求項５】
前記マーカーは、相互に長手方向にオフセットする、請求項４に記載のフィルタ付きタバコ。
【請求項６】
前記マーカーは、前記フィルタ付きタバコの長手方向において長さが異なる、請求項４又は５に記載のフィルタ付きタバコ。
【請求項７】
前記マーカーは、長手方向に延びるバーラインである、請求項６に記載のフィルタ付きタバコ。
【請求項８】
前記換気インジケータは、触知可能な位置表示マーカー及び触知可能な目盛りを含む、請求項１から７のいずれかに記載のフィルタ付きタバコ。
【請求項９】
前記マウスピースは、フィルタ包装紙で囲まれたフィルタプラグを有するフィルタを含む、請求項１から８のいずれかに記載のフィルタ付きタバコ。
【請求項１０】
前記フィルタ包装紙は、口側端帯体、中央帯体、及びロッド端帯体を備え、前記ロッド端帯体及び前記口側端帯体は前記フィルタに付着され、前記中央帯体は前記フィルタ付きタバコの長手方向軸の周りに回転可能であり、
前記フィルタ付きタバコは、前記フィルタ及び前記ロッドの隣接部分を囲むチップペーパー帯体を更に備え、チップペーパー帯体は、前記フィルタ前記口側端部から前記フィルタ包装紙のロッド端帯体を覆う位置まで延びる第１の帯体と、前記第１の帯体から前記ロッドを覆う位置まで延びる第２の帯体とを備え、前記第１の帯体は前記中央帯体にだけ付着されて一緒に回転するようになっており、
前記換気インジケータの前記位置表示マーカー及び前記目盛りの一方は、前記チップペーパーの第１の帯体の外面に設けられ、前記換気インジケータの前記位置表示マーカー及び前記目盛りの他方は、前記チップペーパーの第２の帯体に設けられる、請求項９に記載のフィルタ付きタバコ。
【請求項１１】
前記フィルタ包装紙及び前記チップペーパーの少なくとも一方は実質的に空気不透過性であり、前記フィルタ包装紙の前記ロッド端帯体は、少なくとも１つの開口を有し、前記チップペーパー第１の帯体は、ように配置された少なくとも１つの開口を有し、前記フィルタ付きタバコの長手方向軸の周りの前記チップペーパーの第１の帯体の回転は、前記チップペーパーの第１の帯体の前記少なくとも１つの開口を前記フィルタ包装紙のロッド端帯体の少なくとも１つの開口に対して種々の位置合わせ度合いにして、喫煙時に得られる換気レベルを変える、請求項１０に記載のフィルタ付きタバコ。
【請求項１２】
前記フィルタロッドに取り付くチップペーパーのロッド端帯体（３７）と、
チップペーパーの口側端帯体（３２）と、
前記チップペーパーのロッド端部と口側端帯体との間に配置されるスリーブ（３４）と、
を更に備え、
前記スリーブは、前記フィルタ包装紙（３３）の一部を覆うと共に前記フィルタ付きタバコの長手方向軸の周りで前記フィルタ包装紙に対して回転可能であり、前記換気インジケータの前記位置表示マーカー及び前記目盛りの一方は、前記スリーブの外面に設けられ、前記換気インジケータの前記位置表示マーカー及び前記目盛りの他方は、前記チップペーパーのロッド端帯体又は前記チップペーパー  の口側端帯体に設けられる、請求項９に記載のフィルタ付きタバコ（３０）。
【請求項１３】
前記スリーブ及び前記フィルタ包装紙の少なくとも一方は実質的に空気不透過性であり、前記スリーブは、少なくとも１つの開口（３９）を含み、前記スリーブの下部の前記フィルタ包装紙の一部は、少なくとも１つの開口（３５）を含み、前記フィルタ付きタバコの長手方向軸の周りの前記スリーブの回転は、前記チップペーパーの第１の帯体の前記少なくとも１つの開口を前記フィルタ包装紙のロッド端帯体の少なくとも１つの開口に対して種々の位置合わせ度合いにして、喫煙時に得られる換気レベルを変える、請求項９に記載のフィルタ付きタバコ。
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
少なくとも一つの内因性タンパク質にタグを付けるための方法であって、該方法が：
ａ）（ｉ）少なくとも一つの標的エンドヌクレアーゼあるいは標的エンドヌクレアーゼをコードする核酸、該標的エンドヌクレアーゼは標的部位に結合し、かつ内因性タンパク質をコードする染色体配列内の切断部位を切断することができるものである、および（ｉｉ）タグ配列を含む少なくとも一つのドナーポリヌクレオチド、該タグ配列は上流配列および下流配列に挟まれ、該上流配列および下流配列は染色体配列における切断部位の両側と実質的な配列同一性を共有するものである、を細胞内に導入すること、ならびに、
ｂ）標的エンドヌクレアーゼにより切断部位で導入された二本鎖切断が、タグ付き内因性タンパク質が生成されるように、ドナーポリヌクレオチド内のタグ配列が、内因性タンパク質をコードする染色体配列内にインフレームでインテグレートされるように、相同性指向過程により修復されるような条件下で、細胞を維持すること、
を含む方法。
【請求項２】
標的エンドヌクレアーゼがジンクフィンガーヌクレアーゼである、請求項１に記載の方法。
【請求項３】
細胞が、ヒトＵ２ＯＳ細胞、ヒトＭＣＦ１０Ａ細胞、ヒトＳＫＯＶ３細胞、またはヒトｉＰＳ細胞である、請求項１に記載の方法。
【請求項４】
内因性タンパク質が、チューブリン、アクチン、ラミン、ＨＥＲ２、およびＨＭＧＡから選ばれる、請求項１に記載の方法。
【請求項５】
内因性タンパク質がＣ末端で、またはＮ末端でタグ付けされる、請求項１に記載の方法。
【請求項６】
ジンクフィンガーヌクレアーゼが、配列番号１、２、１３、１４、１８、１９、２２、２３、２５および２６から選ばれる配列と、少なくとも８０％の配列同一性を有する配列に結合する、請求項２に記載の方法。
【請求項７】
配列同一性が８５％、９０％、９５％、９９％または１００％である、請求項６に記載の方法。
【請求項８】
細胞が少なくとも一つのタグ付き内因性タンパク質を発現するように、内因性タンパク質をコードする染色体配列内にインフレームでインテグレートされた、少なくとも一つのタグ配列を含む、細胞。
【請求項９】
細胞が、ヒトＵ２ＯＳ細胞、ヒトＭＣＦ１０Ａ細胞、ヒトＳＫＯＶ３細胞、またはヒトｉＰＳ細胞である、請求項８に記載の細胞。
【請求項１０】
内因性タンパク質が、チューブリン、アクチン、ラミン、ＨＥＲ２、およびＨＭＧＡから選ばれる、請求項８に記載の細胞。
【請求項１１】
内因性タンパク質がＣ末端で、またはＮ末端でタグ付けされる、請求項８に記載の細胞。
【請求項１２】
細胞が一つ以上の蛍光タグ付けされた内因性タンパク質を発現する、請求項８に記載の細胞。
【請求項１３】
細胞が：
ａ）（ｉ）少なくとも一つの標的エンドヌクレアーゼあるいは標的エンドヌクレアーゼをコードする核酸、該標的エンドヌクレアーゼは標的部位に結合し、かつ内因性タンパク質をコードする染色体配列内の切断部位を切断することができるものである、および（ｉｉ）タグ配列を含む少なくとも一つのドナーポリヌクレオチド、該タグ配列は上流配列および下流配列に挟まれ、該上流配列および下流配列は染色体配列における切断部位の両側と実質的な配列同一性を共有するものである、を親細胞内に導入すること、ならびに、
ｂ）標的エンドヌクレアーゼにより切断部位で導入された二本鎖切断が、ドナーポリヌクレオチド内のタグ配列が、内因性タンパク質をコードする染色体配列内にインフレームでインテグレートされるように、相同性指向過程により修復されるような条件下で、細胞を維持すること、
によって生成される、請求項８に記載の細胞。
【請求項１４】
標的エンドヌクレアーゼがジンクフィンガーヌクレアーゼである、請求項１３に記載の細胞。
【請求項１５】
ジンクフィンガーヌクレアーゼが、配列番号１、２、１３、１４、１８、１９、２２、２３、２５および２６から選ばれる配列と、少なくとも８０％の配列同一性を有する配列に結合する、請求項１４に記載の細胞。
【請求項１６】
配列同一性が８５％、９０％、９５％、９９％または１００％である、請求項１５に記載の細胞。
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
構造5'-Y1-L1-X-L2-Y2-3'を有する第一のオリゴヌクレオチドを含む組成物であって、
式中、
Y1は、L1に共有結合された3'ホスフェートを有する第一のヌクレオチドN1を含む、4又はそれ以上のDNA又はRNAのヌクレオチドの配列であり、
Y2は、L2に共有結合された5'ホスフェートを有する第二のヌクレオチドN2を含む、4又はそれ以上のDNA又はRNAのヌクレオチドの配列を含み、
L1及びL2は、各々独立して直結合又はC1−C7アルキル、アルキニル、アルケニル、ヘテロアルキル、置換アルキル、アリール、ヘテロアリール、置換アリール、シクロアルキル、アルキルアリール又はアルコキシル基であり、
Xは、次式、
2013523128.tif 000001
であり、
式中、
R1は、水素又はC1−C8アルキルであり、また、
Mは、消光物質であり、
前記第一のオリゴヌクレオチドは、構造3'-Y3-Y4-5'を有する第二のオリゴヌクレオチドとハイブリダイズするように調整され、
式中、
Y3は、第三のヌクレオチドN3を含む、4又はそれ以上のDNA又はRNAのヌクレオチドの配列を含み、また
Y4は、ヌクレオチドN3に直接結合された第四のヌクレオチドN4を含む、4又はそれ以上のDNA又はRNAのヌクレオチドの配列を含み、
第一のオリゴヌクレオチドが、第二のオリゴヌクレオチドとハイブリダイズするならば、N1塩基は、N3塩基と対を形成し、N2塩基はN4塩基と対を形成して、第二のオリゴヌクレオチドと、構造5'-Y1-Y2-3'を有する第三のオリゴヌクレオチドとの間で形成されるデュプレックスのTmより高いTmを有するデュプレックスを形成することを特徴とする組成物。
【請求項２】
L1及びL2が、各々C1−C7アルキルである、請求項１に記載の組成物。
【請求項３】
L1及びL2が、C2アルキルである、請求項２に記載の組成物。
【請求項４】
L1と共有結合する3'ホスフェート、及びL2と共有結合する5'ホスフェートが、各々独立してホスホジエステル、ホスホチオエート、ホスホジチオエート、メチルホスホネート、ホスホロアミデート、ホスホロアミダイト又はホスホトリエスエテルである、請求項１−３のいずれかに記載の組成物。
【請求項５】
Mが、次式、
2013523128.tif 000002
であり、
L3が、直結合又はC1−C8アルキル、アルケニル、アルケニル、ヘテロアルキル、置換アルキル、シクロアルキル又はアルコキシルであり、
R2−R6が、各々独立して水素、アルキル、アルケニル、ヘテロアルキル、置換アルキル、アリール、ヘテロアリール、置換アリール、シクロアルキル、アルキルアリール、アルコキシル、電子求引基又は電子供与基であり、更にR2−R6の1つが以下であり、
2013523128.tif 000003
更にPが、縮合多環式芳香族部分である、請求項１−４のいずれかに記載の組成物。
【請求項６】
Pが、次式、
2013523128.tif 000004
で示され、
R7-R9が、各々独立して水素、アルコキシル、アルキル、アルキルアミノ、アリールアミノ、シクロアルキル、ヘテロアルコキシル、ヘテロアルキル又はアミノであり、更に
R10-R13が、各々独立して水素、ニトロ、シアノ、カルボキシレート、スルホニル、スルファモイル、アルケニル、アルキニル、アミノ、アリール、ヘテロアリール、ビアリール、ビアルケニル、ビアルキニル、アルコキシカルボニル又はカルバモイルである、請求項５に記載の組成物。
【請求項７】
R9が、
2013523128.tif 000005
である、請求項６に記載の組成物
【請求項８】
Pが、
2013523128.tif 000006
であり、更に
R14-R19が、各々独立して水素、アルキル、ヘテロアルキル、アリール、ヘテロアリール、電子求引基、又はR1、R2ペア、R3、R4ペア、R4、R5ペア、又はR5、R6ペアから形成される5若しくは6員環構造である、請求項５に記載の組成物。
【請求項９】
前記第一のオリゴヌクレオチドが、発蛍光団で標識される、請求項１−８のいずれかに記載の組成物。
【請求項１０】
Y1が、8−12のDNA又はRNAのヌクレオチドの配列を含む、請求項９に記載の組成物。
【請求項１１】
前記第一のオリゴヌクレオチドが、第二の消光物質で標識される、請求項９又は１０に記載の組成物。
【請求項１２】
前記第一のオリゴヌクレオチドとハイブリダイズする第二のオリゴヌクレオチドを更に含む、請求項１−１１のいずれかに記載の組成物。
【請求項１３】
請求項１−１２のいずれかに記載の組成物とサンプルを接触させる工程、及びサンプル中の第二のオリゴヌクレオチドの存在を表示する蛍光の増加を検出する工程を含む、サンプル中の標的オリゴヌクレオチドを検出する方法であって、
前記標的オリゴヌクレオチドが、前記第二のオリゴヌクレオチドであり、前記第一のオリゴヌクレオチドが、発蛍光団で標識され、
前記オリゴヌクレオチドが、第二のオリゴヌクレオチドとハイブリダイズしないとき、前記発蛍光団の蛍光が、消光物質への蛍光共鳴エネルギー伝達によって、又は消光物質による基底状態消光によって減少する、前記標的オリゴヌクレオチドの検出方法。
【請求項１４】
蛍光の増加が、標識オリゴヌクレオチドの切断から生じる、請求項１３に記載の方法。
【請求項１５】
前記オリゴヌクレオチドが、ハイブリダイズしないとき、前記オリゴヌクレオチドがランダムコイル構造を形成し、その結果、前記発蛍光団の蛍光が減少する、請求項１３又は１４に記載の方法。
【請求項１６】
前記オリゴヌクレオチドが、自己相補性配列を含み、更に、核酸ポリマーが分子内塩基対形成を経るときに前記発蛍光団の蛍光が前記消光物質によって消光されるように、前記消光物質及び前記発蛍光団がオリゴヌクレオチドに結合される、請求項１３−１５のいずれかに記載の方法。
【請求項１７】
前記方法が、PCR生成物の合成が蛍光の増加を生じるPCR反応で用いられる、請求項１３−１６のいずれかに記載の方法。
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
循環器系の疾患又は障害を有する個体を治療するための医薬組成物であって、該疾患又は障害の1以上の症状の検出可能な改善のために十分な量で単離された胎盤細胞集団を含み、該胎盤細胞が（i）組織培養プラスチックに接着し；（ii）フローサイトメトリーで決定した場合、CD10+、CD34-、CD105+、及びCD200+であり；かつ（iii）内皮細胞の増殖を促進するか、内皮細胞の集団内での新芽もしくは管状構造の形成を促進するか、又は内皮細胞の遊走を促進するものである、前記医薬組成物。
【請求項２】
肢又はその周辺の血流の途絶を有する個体を治療するための医薬組成物であって、治療有効量の胎盤細胞を含み、該胎盤細胞が（i）組織培養プラスチックに接着し；（ii）フローサイトメトリーで決定した場合、CD10+、CD34-、CD105+、及びCD200+であり；かつ（iii）内皮細胞の増殖を促進するか、内皮細胞の集団内での新芽もしくは管状構造の形成を促進するか、又は内皮細胞の遊走を促進するものである、前記医薬組成物。
【請求項３】
前記循環器系の疾患又は障害が、糖尿病性潰瘍、末梢動脈疾患、重症肢虚血、又は末梢血管疾患である、請求項1記載の医薬組成物。
【請求項４】
前記肢又はその周辺の血流の途絶が、末梢動脈疾患、重症肢虚血、又は末梢血管疾患である、請求項2記載の医薬組成物。
【請求項５】
前記循環器系の疾患又は障害が、末梢血管疾患である、請求項3記載の医薬組成物。
【請求項６】
前記末梢血管疾患の症状が：ぶらぶらさせたときに赤くなる冷えた、ひりひりと痛む足；疼痛；又は、脚の脱力及び疲労；である、請求項5記載の医薬組成物。
【請求項７】
前記肢又はその周辺の血流の途絶が、末梢血管疾患である、請求項4記載の医薬組成物。
【請求項８】
前記末梢血管疾患が：ぶらぶらさせたときに赤くなる冷えた、ひりひりと痛む足；疼痛；又は、脚の脱力及び疲労；である、請求項7記載の医薬組成物。
【請求項９】
前記循環器系の疾患又は障害が、重症肢虚血である、請求項3記載の医薬組成物。
【請求項１０】
前記重症肢虚血の症状が：虚血性安静時痛；個体が動いていない時の脚及び足の激しい疼痛；足もしくは脚の治癒しない痛み；足の疼痛もしくはしびれ；脚もしくは足の光沢があり、滑らかで、乾燥した皮膚；足指の肥厚；脚もしくは足の脈拍の欠如もしくは減弱；開いた傷口；治癒しない皮膚感染もしくは潰瘍；又は、脚もしくは足の乾燥した黒い皮膚；である、請求項9記載の医薬組成物。
【請求項１１】
前記肢又はその周辺の血流の途絶が、重症肢虚血である、請求項4記載の医薬組成物。
【請求項１２】
前記重症肢虚血の症状が：虚血性安静時痛；個体が動いていない時の脚及び足の激しい疼痛；足もしくは脚の治癒しない痛み；足の疼痛もしくはしびれ；脚もしくは足の光沢があり、滑らかで、乾燥した皮膚；足指の肥厚；脚もしくは足の脈拍の欠如もしくは減弱；開いた傷口；治癒しない皮膚感染もしくは潰瘍；又は、脚もしくは足の乾燥した黒い皮膚；である、請求項11記載の医薬組成物。
【請求項１３】
前記循環器系の疾患又は障害が、末梢動脈疾患である、請求項3記載の医薬組成物。
【請求項１４】
前記肢又はその周辺の血流の途絶が、末梢動脈疾患である、請求項4記載の医薬組成物。
【請求項１５】
前記細胞が、さらに、フローサイトメトリーで検出した場合にCD45-、CD133-、CD13+、CD44+もしくはCD90+の1以上である、又はRT-PCRで決定した場合にOCT-4+である、請求項1記載の医薬組成物。
【請求項１６】
前記細胞が、さらに、フローサイトメトリーで検出した場合にCD45-、CD133-、CD13+、CD44+もしくはCD90+の1以上である、又はRT-PCRで決定した場合にOCT-4+である、請求項2記載の医薬組成物。
【請求項１７】
静脈内投与、動脈内投与、筋肉内投与、皮内投与、皮下投与、又は局所投与されるものである、請求項1記載の医薬組成物。
【請求項１８】
静脈内投与、動脈内投与、筋肉内投与、皮内投与、皮下投与、又は局所投与されるものである、請求項2記載の医薬組成物。
【請求項１９】
前記循環器系の疾患又は障害が、糖尿病性潰瘍である、請求項3記載の医薬組成物。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
化合物に結合するＨＬＡ複合体を同定する方法であって、当該方法は、
支持部材における複数のアドレスに位置づけられた複数のＨＬＡ複合体を含むＨＬＡライブラリを提供する工程であって、当該ＨＬＡ複合体の各々は、別個のアドレスに割り当てられている、工程；
該ＨＬＡ複合体に化合物を接触させる工程；
該ＨＬＡ複合体のうちの一に該化合物が結合するか否かを決定する工程；および
当該化合物が該ＨＬＡ複合体のうちの一に結合したときに、該化合物に結合した当該一のＨＬＡ複合体をそのアドレスに基づき同定する工程
を含む、方法。
【請求項２】
前記ＨＬＡ複合体がＨＬＡクラスＩ複合体である、請求項１に記載の方法。
【請求項３】
前記ＨＬＡクラスＩ複合体がＨＬＡ−Ｂ複合体である、請求項２に記載の方法。
【請求項４】
前記ＨＬＡ複合体が、ＨＬＡクラスＩＩ複合体である、請求項１に記載の方法。
【請求項５】
前記ＨＬＡクラスＩＩ複合体がＨＬＡ−ＤＲ複合体である、請求項４に記載の方法。
【請求項６】
前記ＨＬＡライブラリが、前記複数のＨＬＡ複合体が前記支持部材に結合されたマイクロチップベースライブラリである、請求項１に記載の方法。
【請求項７】
前記ＨＬＡ複合体が、その天然に存在する対応物の細胞外ドメインである、請求項６に記載の方法。
【請求項８】
前記決定する工程は、表面プラスモン共鳴法によって行われる、請求項７に記載の方法。
【請求項９】
前記ＨＬＡライブラリが、前記複数のＨＬＡ複合体を発現する複数の細胞を含む細胞ベースライブラリである、請求項１に記載の方法。
【請求項１０】
前記ＨＬＡ複合体が、その天然に存在する対応物の細胞外ドメインである、請求項９に記載の方法。
【請求項１１】
前記複数の細胞の各々は、ＨＬＡクラスＩ複合体をＨＬＡクラスＩ欠損親細胞で発現することによって、調製される、請求項９に記載の方法。
【請求項１２】
前記複数の細胞の各々は、ＨＬＡクラスＩＩ複合体をＨＬＡクラスＩＩ欠損親細胞で発現することによって、調製される、請求項９に記載の方法。
【請求項１３】
前記決定する工程は、各アドレスからそのＨＬＡ複合体を回収して当該ＨＬＡ複合体が前記化合物に結合するか否かを質量分析法により決定することによって行われる、請求項９に記載の方法。
【請求項１４】
前記化合物は放射性の標識が施され、かつ前記決定する工程は、各アドレスの放射能を調べることによって行われる、請求項９に記載の方法。
【請求項１５】
化合物が被検体に投与されたときに当該化合物が薬物有害反応を誘導する危険性を評価する方法であって、当該方法は、
支持部材における複数のアドレスに位置づけられた複数のＨＬＡ複合体を含むＨＬＡライブラリを提供する工程であって、当該ＨＬＡ複合体の各々は、別個のアドレスに割り当てられている、工程；
該ＨＬＡ複合体に該化合物を接触させる工程；および
該ＨＬＡ複合体のうちの一に該化合物が結合するか否かを決定する工程；
を包含し、ここで、当該化合物が当該ＨＬＡ複合体の一に結合することは、当該化合物が被検体に投与された際に薬物有害反応を誘導する危険性があることを示す、方法。
【請求項１６】
前記化合物が前記ＨＬＡ複合体のうちの一に結合したときに、該化合物に結合した当該一のＨＬＡ複合体をそのアドレスに基づき同定する工程をさらに含む、請求項１５に記載の方法。
【請求項１７】
前記ＨＬＡ複合体がＨＬＡクラスＩ複合体である、請求項１５に記載の方法。
【請求項１８】
前記ＨＬＡクラスＩ複合体がＨＬＡ−Ｂ複合体である、請求項１７に記載の方法。
【請求項１９】
前記ＨＬＡ複合体が、ＨＬＡクラスＩＩ複合体である、請求項１５に記載の方法。
【請求項２０】
前記ＨＬＡクラスＩＩ複合体が、ＨＬＡ−ＤＲ複合体である、請求項１９に記載の方法。
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
少なくとも一つの異種タンパク質の発現が内因性調節系により調節されるように、少なくとも一つの異種タンパク質をコードする配列を細胞の染色体内にインテグレートするための方法であって、該方法が：
ａ）（ｉ）少なくとも一つの標的エンドヌクレアーゼあるいは標的エンドヌクレアーゼをコードする核酸、該標的エンドヌクレアーゼは標的配列に結合することができ、かつ内因性タンパク質をコードする標的とされる染色体配列における切断部位を切断することができるものである；および（ｉｉ）異種タンパク質コード配列を形成するために２Ａペプチドをコードする配列に連結される、少なくとも一つの異種タンパク質をコードする配列を含み、該異種タンパク質コード配列が切断部位の両側と実質的な配列同一性を有する上流配列および下流配列に挟まれるものである、少なくとも一つのドナーポリヌクレオチドを、細胞内に導入すること；および
ｂ）標的エンドヌクレアーゼにより標的とされる染色体配列内に導入された二本鎖切断が、該ドナーポリヌクレオチドにおける異種タンパク質コード配列が、標的とされる染色体配列内にインフレームでインテグレートされ、それにより少なくとも一つの異種タンパク質の発現が、内因性タンパク質の発現を調節する内因性調節系により調節されるように、相同性指向修復過程により修復されるような条件下で、細胞を維持すること、
を含む方法。
【請求項２】
標的エンドヌクレアーゼがジンクフィンガーヌクレアーゼである、請求項１に記載の方法。
【請求項３】
２Ａペプチドをコードする配列が異種タンパク質をコードする配列に５’または３’で連結される、請求項１に記載の方法。
【請求項４】
異種タンパク質コード配列が、標的とされる染色体配列のタンパク質コード配列の開始付近または終止付近にインテグレートされる、請求項１に記載の方法。
【請求項５】
少なくとも一つの異種タンパク質が抗体の重鎖または軽鎖である、請求項１に記載の方法。
【請求項６】
細胞がヒト細胞またはほ乳類細胞である、請求項１に記載の方法。
【請求項７】
標的とされる染色体配列が、アクチン、チューブリン、またはラミンタンパク質をコードする、請求項１に記載の方法。
【請求項８】
標的エンドヌクレアーゼが、配列番号１、２、３、４、５、６、７、および８から選択される配列と少なくとも８０％の配列同一性を有する配列に結合するジンクフィンガーヌクレアーゼである、請求項１に記載の方法。
【請求項９】
配列同一性が８５％、９０％、９５％、９９％、または１００％である、請求項８に記載の方法。
【請求項１０】
細胞がチャイニーズハムスター卵巣（ＣＨＯ）細胞であり、標的とされる染色体配列がアクチンタンパク質をコードし、かつジンクフィンガーヌクレアーゼが配列番号７および配列番号８から選択される配列に結合する、請求項８に記載の方法。
【請求項１１】
少なくとも一つの異種タンパク質をコードする、染色体にインテグレートされた配列を含み、少なくとも一つの異種タンパク質をコードする配列が、少なくとも一つの異種タンパク質の発現が内因性タンパク質の発現と協調的に制御されるように、内因性タンパク質をコードする染色体配列とインフレームでインテグレートされるものである、細胞。
【請求項１２】
内因性タンパク質および異種タンパク質のそれぞれが個別の構成要素として生成される、請求項１１に記載の細胞。
【請求項１３】
少なくとも一つの異種タンパク質の発現を調節するために、内因性調節系を使用するための方法であって、該方法が：
（ａ）２Ａペプチドをコードする配列に連結された少なくとも一つの異種タンパク質をコードする、染色体にインテグレートされた配列を含み、異種タンパク質および２Ａペプチドをコードする配列が内因性タンパク質をコードする染色体配列とインフレームでインテグレートされるものである、細胞を提供すること；および
（ｂ）内因性調節系の活性化が、異種タンパク質、２Ａペプチド、および内因性タンパク質をコードする１つの転写産物を生成し、ここに２Ａペプチドが、異種タンパク質および内因性タンパク質のそれぞれが個別の構成要素として生産されるように翻訳を分断させるものであるような条件下で、細胞を維持すること、
を含む方法。
【請求項１４】
染色体配列が、アクチン、チューブリン、またはラミンタンパク質をコードする、請求項１３に記載の方法。
【請求項１５】
細胞がチャイニーズハムスター卵巣（ＣＨＯ）細胞であり、染色体配列がアクチンタンパク質をコードし、かつ異種タンパク質が抗体の重鎖または軽鎖である、請求項１３に記載の方法。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
１つ以上の目的のＦｎＩＩＩドメイン（ＦＯＩ）に由来する２つのフィブロネクチンＩＩＩ型（ＦｎＩＩＩ）単量体足場を含んでいる組み換え多量体足場であって、ここで
（ａ）各々のＦｎＩＩＩ単量体足場は、ＡＢ、ＢＣ、ＣＤ、ＤＥ、ＥＦ、およびＦＧと命名された６つのループ領域に連結された、Ａ、Ｂ、Ｃ、Ｄ、Ｅ、Ｆ、およびＧと命名された７つのβ鎖を含んでおり、
（ｂ）前記ＦｎＩＩＩ単量体足場は、直列して接続され、ここで前記単量体のうちの少なくとも２つは、天然には存在しない分子内ジスルフィド結合を含み、
（ｃ）前記組み換え多量体足場は、少なくとも１つの標的に対して特異的に結合し、かつ
（ｄ）前記標的に対する作用は、同族のＦｎＩＩＩ単量体足場の作用よりも改善されている、多量体足場。
【請求項２】
前記多量体足場が、３、４、５、６、７、または８個のＦｎＩＩＩ単量体足場を含む、請求項１に記載の多量体足場。
【請求項３】
少なくとも２つのＦｎＩＩＩ単量体足場が、リンカーによって接続される、請求項１または２に記載の多量体足場。
【請求項４】
少なくとも２つのＦｎＩＩＩ単量体足場が、ＦｎＩＩＩ単量体足場の間にリンカーを割り込むことなく直接接続される、請求項１または２に記載の多量体足場。
【請求項５】
前記ＦｎＩＩＩ単量体足場のうちの少なくとも１つが異種部分に融合されている、請求項１〜４のいずれか１項に記載の多量体足場。
【請求項６】
少なくとも２つのＦｎＩＩＩ単量体足場が異なる、請求項１〜５のいずれか１項に記載の多量体足場。
【請求項７】
各々のβ鎖が、目的のＦｎＩＩＩドメイン（ＦＯＩ）の同種のβ鎖に対する少なくとも５０％の相同性を有し、かつ少なくとも１つのループは、ＦＯＩ中の同種のループの非天然変異体である、請求項１〜６のいずれか１項に記載の多量体足場。
【請求項８】
前記ＦＯＩが、配列番号１〜４および１４のいずれか１つからなる群より選択される配列を含む、請求項１〜７のいずれか１項に記載の多量体足場。
【請求項９】
少なくとも１つのＦｎＩＩＩ単量体足場のβ鎖が、配列番号１、４または１４中の同族のβ鎖に対し少なくとも９０％の配列同一性を有する、請求項１〜８のいずれか１項に記載の多量体足場。
【請求項１０】
少なくとも１つのＦｎＩＩＩ単量体足場について、Ａβ鎖が、配列番号４１または４２を含み、Ｂβ鎖が、配列番号４３を含み、Ｃβ鎖が配列番号４５または１３１を含み、Ｄβ鎖が配列番号４６を含み、Ｅβ鎖が配列番号４７を含み、Ｆβ鎖が配列番号４９、５０または５１を含み、かつＧβ鎖が配列番号５２または５３を含む、請求項１〜９のいずれか１項に記載の多量体足場。
【請求項１１】
各々のＦｎＩＩＩ足場が標的に結合し、さらに少なくとも１つのＦｎＩＩＩ単量体足場が以下のアミノ酸配列を含み：
ＩＥＶ（ＸＡＢ）ｎＡＬＩＴＷ（ＸＢＣ）ｎＣＥＬＸ１ＹＧＩ（ＸＣＤ）ｎＴＴＩＤＬ（ＸＤＥ）ｎＹＳＩ（ＸＥＦ）ｎＹＥＶＳＬＩＣ（ＸＦＧ）ｎＫＥＴＦＴＴ、または
ＩＥＶ（ＸＡＢ）ｎＡＬＩＴＷ（ＸＢＣ）ｎＩＥＬＸ１ＹＧＩ（ＸＣＤ）ｎＴＴＩＤＬ（ＸＤＥ）ｎＹＳＩ（ＸＥＦ）ｎＹＣＶＳＬＩＳ（ＸＦＧ）ｎＫＥＣＦＴＴ、または
ＩＥＶ（ＸＡＢ）ｎＡＬＩＴＷ（ＸＢＣ）ｎＣＥＬＸ１ＹＧＩ（ＸＣＤ）ｎＴＴＩＤＬ（ＸＤＥ）ｎＹＳＩ（ＸＥＦ）ｎＹＣＶＳＬＩＣ（ＸＦＧ）ｎＫＥＣＦＴＴ、
ここでＸＡＢ、ＸＢＣ、ＸＣＤ、ＸＤＥ、ＸＥＦ、およびＸＦＧは、それぞれＡＢ、ＢＣ、ＣＤ、ＤＥ、ＥＦ、およびＦＧのループに存在するアミノ酸残基を表し、Ｘ１は、アミノ酸残基ＡまたはＴを表し、かつここでループの長さｎ= ２〜２６である、請求項１〜６のいずれか１項に記載の多量体足場。
【請求項１２】
ＡＢループが、配列番号３５を含み、ＣＤループが配列番号３７を含み、かつＥＦループが配列番号３９を含む、請求項１〜１１のいずれか１項に記載の多量体足場。
【請求項１３】
ＢＣループが、配列番号３６を含み、ＤＥループが配列番号１１を含み、かつＦＧループが配列番号４０を含む、請求項１〜１１のいずれか１項に記載の多量体足場。
【請求項１４】
請求項１〜１３のいずれか１項に記載の多量体足場をコードする単離された核酸分子。
【請求項１５】
請求項１４に記載の核酸に対して作動可能に連結された発現ベクター。
【請求項１６】
請求項１５に記載の発現ベクターを含む宿主細胞。
【請求項１７】
前記多量体足場が発現される条件下で、請求項１５に記載のベクターを含む宿主細胞を培養することを含む、組み換え多量体足場を産生する方法。
【請求項１８】
薬学的に許容される賦形剤中に請求項１〜１３のいずれか１項に記載の組み換え多量体足場を含む組成物。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
穀類ふすま画分の保水力（ＷＨＣ）を増大させるための方法であって、
ａ）微粒子状穀類ふすま画分に水を添加して、１００％（ｗ／ｗ）未満の含水量を得るステップと、
ｂ）水が添加された前記微粒子状穀類ふすま画分を、１つまたは複数の細胞壁修飾酵素により処理し、そして場合により、同時にまたは任意の順序で連続して、前記微粒子状穀類ふすま画分を１つまたは複数のさらなる酵素により処理するステップと
を含む方法。
【請求項２】
前記１つまたは複数の細胞壁修飾酵素が、ヘミセルラーゼ、例えば、キシラナーゼ、フェルラ酸エステラーゼ、アセチルキシランエステラーゼ、および／またはペクチナーゼと、セルラーゼ、例えば、セロビオヒドロラーゼ、エンドグルカナーゼ、マンナナーゼ、およびβ−グルカナーゼ、エンドセルラーゼ、エキソセルラーゼ、セロビアーゼ、酸化セルラーゼ、セルロースホスホリラーゼから選択される、請求項１に記載の方法。
【請求項３】
さらなる酵素活性を不活性化するため、そして／またはあらゆる残留デンプンをゼラチン化するため、そして／またはＷＨＣをさらに増大させるために、前記穀類ふすま画分が、加熱処理においてしばらくの間さらに処理される、請求項１または２に記載の方法。
【請求項４】
処理された前記穀類ふすま画分が、乾物対乾物ふすまにおいて決定される場合に、５％よりも高い、例えば１０％よりも高い、例えば１５％よりも高い、例えば２０％よりも高い、例えば２５％よりも高い、例えば３０％よりも高い、例えば３５％よりも高い、例えば１０％〜４０％の範囲、例えば１５％〜４０％の範囲、例えば１５％〜３５％の範囲、例えば１０％〜３５％の範囲の程度まで可溶化される、請求項１〜３のいずれか一項に記載の方法。
【請求項５】
前記穀類ふすま画分が、小麦、大麦、オート麦、ライ麦およびライ小麦、米、ならびにコーンから選択される、請求項１〜４のいずれか一項に記載の方法。
【請求項６】
前記穀類ふすま画分が、植物材料の加工からの穀類サイドストリーム、例えば、植物油の精製からのソープストック、ビール醸造粕、または可溶性物質添加乾燥穀類蒸留粕（ＤＤＧＳ）に由来する、請求項１〜５のいずれか一項に記載の方法。
【請求項７】
処理された前記穀類ふすま画分をスプレー乾燥するステップ、および／または処理された前記穀類ふすま画分を凍結乾燥するステップをさらに含む、請求項１〜６のいずれか一項に記載の方法。
【請求項８】
前記穀類ふすま画分が、１５０％（ｗ／ｗ）よりも高い、例えば１６０％（ｗ／ｗ）よりも高い、例えば１７０％（ｗ／ｗ）よりも高い、例えば１８０％（ｗ／ｗ）よりも高い、例えば１９０％（ｗ／ｗ）よりも高い、例えば２００％（ｗ／ｗ）よりも高いＷＨＣを得るように処理される、請求項１〜７のいずれか一項に記載の方法。
【請求項９】
水が添加された前記穀類ふすま画分が、ステップｂ）において、いずれの成分も事前に除去することなく処理される、請求項１〜８のいずれか一項に記載の方法。
【請求項１０】
１４５％（ｗ／ｗ）よりも高い、例えば１５０％（ｗ／ｗ）よりも高い、例えば１６０％（ｗ／ｗ）よりも高い、例えば１７０％（ｗ／ｗ）よりも高い、例えば１８０％（ｗ／ｗ）よりも高い、例えば１９０％（ｗ／ｗ）よりも高い、例えば２００％（ｗ／ｗ）よりも高い、ＷＨＣを有する穀類ふすま画分。
【請求項１１】
請求項１〜９のいずれか一項に記載の方法によって生じた増大したＷＨＣを有する穀類ふすま画分。
【請求項１２】
請求項１０または１１に記載の増大したＷＨＣを有する穀類ふすま画分の、食料品の製造のための使用。
【請求項１３】
穀類ふすま画分の保水力（ＷＨＣ）を増大させるための、細胞壁修飾酵素の使用。
【請求項１４】
請求項１２または１３に記載の使用によって得られる食料品。
【請求項１５】
ａ）１つまたは複数の細胞壁修飾酵素、および場合により１つまたは複数のさらなる酵素と、
ｂ）請求項１〜９のいずれか一項に記載の方法における使用説明書と
を含むパーツのキットであって、
場合により、食料品のためのその他の材料を含むキット。
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
ビフィドバクテリウムアドレセンティス（Bifidobacterium adolescentis）由来のスクロースホスホリラーゼを含む生体触媒であって、
前記スクロースホスホリラーゼは、少なくとも６０℃の温度で少なくとも１６時間の間酵素的に活性であることを特徴とし、
前記スクロースホスホリラーゼは固定される、および／または変異される、および／または基質の連続存在下にある、および／または架橋酵素凝集体（ＣＬＥＡ）の一部であり、
前記スクロースホスホリラーゼは、Ｑ３３１、Ｒ３９３Ｎ、Ｑ４６０Ｅ／Ｅ４８５Ｈ、Ｄ４４５Ｐ／Ｄ４４６Ｇ、Ｄ４４５Ｐ／Ｄ４４６Ｔ、Ｒ３９３Ｎ／Ｑ４６０Ｅ／Ｅ４８５Ｈ、Ｒ３９３Ｎ／Ｑ４６０Ｅ／Ｅ４８５Ｈ／Ｄ４４５Ｐ／Ｄ４４６Ｔ、および／またはＲ３９３Ｎ／Ｑ４６０Ｅ／Ｅ４８５Ｈ／Ｄ４４５Ｐ／Ｄ４４６Ｔ／Ｑ３３１Ｅという変異体を含有する、生体触媒。
【請求項２】
前記スクロースホスホリラーゼは、エポキシ活性化酵素担体上に固定される、請求項１に記載の生体触媒。
【請求項３】
前記スクロースホスホリラーゼは、ビフィドバクテリウムアドレセンティスＬＭＧ１０５０２からのスクロースホスホリラーゼ遺伝子によってエンコードされる、請求項１または２に記載の生体触媒。
【請求項４】
前記エポキシ活性化酵素担体はＲ−Ｏ−Ｒ’という構造を備え、式中、Ｒは高度に多孔性のメタクリルポリマーマトリックスであり、Ｒ’はエポキシ基である、請求項２または３に記載の生体触媒。
【請求項５】
前記基質はスクロースである、請求項１から４のいずれかに記載の生体触媒。
【請求項６】
少なくとも６０℃の温度で炭水化物を変換するための、請求項１から５のいずれかに記載の生体触媒の使用。
【請求項７】
前記温度は少なくとも６５℃である、請求項６に記載の使用。
【請求項８】
炭水化物の前記変換は、アルファ−Ｄ−グルコース−１−リン酸およびフルクトースへのスクロースの加リン酸分解である、請求項６または７に記載の使用。
【請求項９】
請求項１から５のいずれかに記載の生体触媒を産生する方法であって、
−ビフィドバクテリウムアドレセンティスからスクロースホスホリラーゼを精製して、精製スクロースホスホリラーゼの溶液を得るステップと、
−精製スクロースホスホリラーゼの前記溶液にエポキシ活性化担体を加えて固定スクロースホスホリラーゼを得るステップと、
−前記固定スクロースホスホリラーゼを洗浄するステップと、
−スクロースホスホリラーゼに結合していない、前記エポキシ活性化担体上の残余のエポキシ基を不活性化するステップと、
−前記固定スクロースホスホリラーゼを洗浄するステップとを備える、方法。
【請求項１０】
ビフィドバクテリウムアドレセンティスからのスクロースホスホリラーゼのエンコードのための遺伝子で宿主生物を形質転換するステップと、前記宿主生物中に前記ホスホリラーゼを発現させるステップとが先行する、請求項９に記載の方法。
【請求項１１】
精製スクロースホスホリラーゼの溶液にエポキシ活性化担体を加えるステップは、ｐＨが７．１５の、０．０４Ｍのリン酸濃度を含有する固定緩衝液中で行なわれる、請求項９または１０に記載の方法。
【請求項１２】
請求項１から４のいずれかに記載の生体触媒を産生する方法であって、
−ビフィドバクテリウムアドレセンティスからスクロースホスホリラーゼを精製して、精製スクロースホスホリラーゼの溶液を得るステップと、
−塩、有機溶媒、または非イオン性ポリマーの添加によって精製酵素を凝集させて凝集酵素を得るステップと、
−前記凝集酵素を化学的に架橋して固定生体触媒を得るステップとを備える、方法。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
可燃性有機材料と、
以下の化学式のアルカノイル化グリコシドと、
乾燥ホップ抽出物と、
を含み、
Ｒ１、Ｒ２、Ｒ３、及びＲ４が、Ｃ１−Ｃ６アルキル基及びＨから成るグループから選択され、Ｒ５が、Ｈ、Ｃ１−Ｃ６アシル基、Ｃ１−Ｃ６アルキル基、アロイル基、及びアリール基から成るグループから選択され、前記アルカノイル化グリコシドが、可燃性有機材料上で分散される、ことを特徴とする可燃性喫煙組成物。
〔化式１〕
2013523113.tif 000001
【請求項２】
前記可燃性有機材料が、タバコを含む、ことを特徴とする請求項１に記載の喫煙組成物。
【請求項３】
前記可燃性有機材料が、タバコに対する非タバコ代用品を含む、ことを特徴とする請求項１に記載の喫煙組成物。
【請求項４】
Ｒ１、Ｒ２、Ｒ３、及びＲ４の各々が、同じＣ１−Ｃ６アルキル基である、ことを特徴とする請求項１から３の何れかに記載の喫煙組成物。
【請求項５】
Ｒ１、Ｒ２、Ｒ３、及びＲ４がメチル基であり、Ｒ５がアセチル基である、ことを特徴とする請求項４に記載の喫煙組成物。
【請求項６】
前記アルカノイル化グリコシドが、可燃性有機材料の約１００ｍｇから約３００ｍｇまでの範囲の量で喫煙組成物中に含まれることを特徴とする請求項１から５の何れかに記載の喫煙組成物。
【請求項７】
前記アルカノイル化グリコシドが、前記喫煙組成物の重量ベースで約０．１重量％から約１０重量％までの範囲の量で喫煙組成物中に含まれる、ことを特徴とする請求項１から６の何れかに記載の喫煙組成物。
【請求項８】
請求項１〜７の何れかに記載の可燃性喫煙組成物を含むロッドと、該ロッドの端部に配置されたフィルタと、を備える喫煙物品。
【請求項９】
少なくとも１つの吸着剤を更に含む、請求項８に記載の喫煙物品。
【請求項１０】
前記吸着剤が、約３０ｍｇから約２００ｍｇの量で前記喫煙物品に含まれる、ことを特徴とする請求項９に記載の喫煙物品。
【請求項１１】
前記可燃性喫煙組成物が、（ａ）少なくとも１つの湿潤剤、（ｂ）少なくとも１つの甘味料、（ｃ）少なくとも１つの非タバコ香味料、（ｄ）少なくとも１つの着色剤、及び（ｅ）少なくとも１つのバインダーのうちの１つ又はそれよりも多くを含む、ことを特徴とする請求項８に記載の喫煙物品。
【請求項１２】
前記乾燥ホップ抽出物が、喫煙物品当たり約１ｍｇから約５０ｍｇの範囲の量で前記喫煙物品に含まれる、ことを特徴とする請求項８に記載の喫煙物品。
【請求項１３】
前記アルカノイル化グリコシドが、タバコの約１００ｍｇ／ｋｇからタバコの約３００ｍｇ／ｋｇまでの範囲の量で可燃性喫煙組成物に含まれる、ことを特徴とする請求項８に記載の喫煙物品。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
喫煙物品であって、
タバコ・ロッドと、通気穴を含むフィルタと、
カプセルの破壊時に放出される、香味料を含む少なくとも１つのカプセルと、
を含み、
前記カプセルは、前記放出された香味料が前記通気穴を通って前記喫煙物品内に引き込み可能になるように前記喫煙物品の外面上に配置され、かつ、前記喫煙物品がパッケージから取り出されたときに破壊されることを特徴とする喫煙物品。
【請求項２】
前記喫煙物品の前記外面の周りに配置された複数のカプセルを収容するフィルムを含むことを特徴とする、請求項１に記載の喫煙物品。
【請求項３】
前記カプセルは、前記喫煙物品の口側端上に配置されたチップ材料内の複数の通気穴に隣接していることを特徴とする、請求項１〜請求項２のいずれかに記載の喫煙物品。
【請求項４】
前記香味料は、前記複数の通気穴と前記喫煙物品の前記口側端との間に配置されることを特徴とする、請求項３に記載の喫煙物品。
【請求項５】
少なくとも２つのカプセルに含み、前記少なくとも２つのカプセルは同じ香味料を含むことを特徴とする、請求項１〜請求項４のいずれかに記載の喫煙物品。
【請求項６】
少なくとも２つのカプセルを含み、前記少なくとも２つのカプセルは異なる香味料を含むことを特徴とする請求項１〜請求項４のいずれかに記載の喫煙物品。
【請求項７】
前記喫煙物品の前記外面上に配置され、かつ、前記喫煙物品が前記パッケージから取り出されたときに、カラーと前記カプセルとの接触により前記カプセルを破壊するように適合されたカラーをさらに含むことを特徴とする、請求項１〜請求項６のいずれかに記載の喫煙物品。
【請求項８】
前記喫煙物品の前記外面上に配置され、かつ、前記喫煙物品が前記パッケージから取り出されたときに、紙の折り曲げ部を開くことにより前記カプセルを破壊するように適合された紙の折り曲げ部を含むラッチ・システムをさらに含むことを特徴とする、請求項１〜請求項７のいずれかに記載の喫煙物品。
【請求項９】
チップ材料をさらに含み、前記カプセルは、プラグ・ラップの外面と前記チップ材料の内面との間に配置されることを特徴とする、請求項１〜請求項８のいずれかに記載の喫煙物品。
【請求項１０】
パッケージと、
前記パッケージ内の、請求項１〜請求項９のいずれかに記載の少なくとも１つの喫煙物品と、
を含むことを特徴とする香味料送出システム。
【請求項１１】
香味料により主流煙を処理する方法であって、
請求項１〜請求項１０のいずれかに記載の喫煙物品を準備するステップと、
カプセル化された形態の前記香味料を破壊することにより、前記薬剤を放出するステップと、
前記放出された薬剤を、通気穴を通して引き込むことにより、前記主流煙を前記香味料と接触させるステップと、
を含むことを特徴とする方法。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
粉体を粉体噴霧器に供給するための粉体供給システムであって、
粉体供給ホッパーと、
前記粉体供給ホッパー内に位置する粉体を流動化するための粉体流動化装置と、
粉体を前記粉体供給ホッパーから前記噴霧器に運ぶための粉体ポンプと、を備えた粉体供給システムにおいて、
前記粉体供給ホッパーは支持構造物に枢着されることを特徴とする粉体供給システム。
【請求項２】
請求項１に記載の粉体供給システムであって、
前記支持構造物は粉体容器を置くための粉体容器ベースを備え、
前記粉体供給ホッパーは、第１の位置と前記粉体容器ベースの実質的に上方にある第２の空にする位置との間で前記支持構造物に枢着されることを特徴とする粉体供給システム。
【請求項３】
請求項１または２の少なくとも一項に記載の粉体供給システムであって、
粉体供給ホッパーと、
前記粉体供給ホッパー内に位置する粉体を流動化するための粉体流動化装置と、
粉体を前記粉体供給ホッパーから前記噴霧器に運ぶための粉体ポンプと、を備えた粉体供給システムにおいて、
前記粉体供給ホッパーが支持構造物に移動可能に取り付けられている蓋を備える粉体供給システム。
【請求項４】
請求項３に記載の粉体供給システムであって、
前記蓋は、前記支持構造物に枢着される粉体供給システム。
【請求項５】
請求項４に記載の粉体供給システムであって、
前記粉体供給ホッパーおよび／または前記蓋に対する枢軸は実質的に垂直に配向され、
前記粉体供給ホッパーは、少なくとも１つの支持アームに取り付けられ、
前記蓋は、少なくとも１つの支持アームに取り付けられる粉体供給システム。
【請求項６】
請求項４に記載の粉体供給システムであって、
前記蓋は、前記支持構造物に枢着され、これにより、前記蓋は、前記粉体供給ホッパーの頂部開口部を前記蓋が閉じる第１の閉位置から第２の開位置までの間で移動可能である粉体供給システム。
【請求項７】
請求項６に記載の粉体供給システムであって、
前記蓋は、前記第１の開位置から前記第２の閉位置へ前記蓋を枢動させることができるように、また前記蓋を前記粉体供給ホッパーの方へ下げて、前記頂部開口部を閉じ、前記蓋を前記粉体供給ホッパーから上方へ上げて、前記頂部開口部を開くようになっている枢動昇降機構を使って前記支持構造物に枢着される粉体供給システム。
【請求項８】
請求項１または３に記載の粉体供給システムであって、
前記粉体供給ホッパーおよび前記蓋は、独立して移動可能である粉体供給システム。
【請求項９】
請求項１から８の少なくとも一項に記載の粉体供給システムであって、
粉体供給ホッパーと、
前記粉体供給ホッパー内に位置する粉体を流動化するための粉体流動化装置と、
粉体を前記粉体供給ホッパーから前記噴霧器に運ぶための粉体ポンプと、
粉体容器を置くための粉体容器ベースを備える支持構造物と、を備えた粉体供給システムにおいて、
粉体供給ホッパーは、前記粉体供給ホッパーからの粉体が前記粉体容器ベース上に置かれた粉体容器の中に下方へ運ばれうるように前記粉体容器ベースの実質的に上方に位置する粉体供給システム。
【請求項１０】
請求項１から９の少なくとも一項に記載のシステムであって、
粉体を粉体噴霧器に供給するための粉体供給システムであって、
粉体供給ホッパーと、
前記粉体供給ホッパー内に位置する粉体を流動化するための粉体流動化装置と、
粉体を前記粉体供給ホッパーから前記噴霧器に運ぶための粉体ポンプと、
支持構造物と、を備えた粉体供給システムにおいて、
粉体吸引装置が前記支持構造物に取り付けられ、前記粉体供給ホッパーから流れ出る残留粉体を取り除くようになっている粉体供給システム。
【請求項１１】
請求項１０に記載の粉体供給システムであって、
前記粉体吸引装置は、前記支持構造物の天井部に取り付けられる粉体供給システム。
【請求項１２】
請求項１１に記載の粉体供給システムであって、
前記粉体供給ホッパーは、頂部開口部と、前記頂部開口部を閉じるための蓋と、パージガスを前記ホッパー内に送り込むためのポンプに接続されうる少なくとも１つのさらなる開口部とを有し、
前記粉体吸引装置は、前記粉体供給ホッパーの前記頂部開口部の実質的に上方に位置する回収装置フードを備え、これにより、前記粉体供給ホッパーの前記頂部開口部から吸引で取り出される残留粉体が前記粉体吸引装置の前記回収装置フード内に抽出される粉体供給システム。
【請求項１３】
請求項１０に記載の粉体供給システムであって、
前記粉体供給ホッパーは、頂部開口部と、前記頂部開口部を閉じるための蓋と、パージガスを前記ホッパー内に送り込むためのポンプに接続されうる少なくとも１つのさらなる開口部とを有し、
前記少なくとも１つのさらなる開口部は、前記ホッパー壁のところに接線方向の配向で位置し、パージガスがポンプで前記開口部を通して前記ホッパー内に送り込まれるときに渦流が発生することを特徴とする粉体供給システム。
【請求項１４】
請求項１から１３の少なくとも一項に記載のシステムであって、
開口部、および頂部開口部を閉じるための蓋を有する粉体供給ホッパーと、
前記粉体供給ホッパー内に位置する粉体を流動化するための粉体流動化装置と、
粉体を前記粉体供給ホッパーから前記噴霧器に運ぶための粉体ポンプと、を備えた粉体供給システムにおいて、
前記蓋にふるいが取り付けられる粉体供給システム。
【請求項１５】
請求項１４に記載の粉体供給システムであって、
前記蓋はハウジングを備え、
前記ふるいは前記ハウジング内に位置決めされる粉体供給システム。
【請求項１６】
請求項１４に記載の粉体供給システムであって、
前記蓋および／または前記ふるいを振動させるために振動装置アセンブリを前記蓋に取り付けられる粉体供給システム。
【請求項１７】
請求項１から１６の少なくとも一項に記載のシステムにおいて粉体の色を交換するための方法であって、前記方法は、
第１の色の粉体を収容する第１の粉体容器を前記供給システム上に置く工程と、
前記第１の粉体容器から前記粉体供給ホッパー内に粉体をポンプで送り込むか、または充填する工程と、
前記粉体供給ホッパー内の前記粉体を、粉体流動化装置を使って流動化する工程と、
前記粉体ポンプを使って粉体を前記粉体供給ホッパーから少なくとも１つの噴霧器に運ぶ工程と、
前記運ぶ操作を停止する工程と、
前記粉体供給ホッパーを前記粉体容器ベース上に位置する前記粉体容器の上方に位置決めする工程と、
前記ホッパーから粉体を出して空にし、前記粉体を前記粉体容器内に入れる工程と、
前記粉体供給ホッパーの蓋を開いて頂部開口部を開く工程と、
ポンプを使い少なくとも１つの開口部を通してパージガスを前記粉体供給ホッパー内に送り込む工程と、
残留粉体が前記粉体供給ホッパーの前記頂部開口部から流れ出るように前記パージガスを使って前記ホッパーをパージする工程と、
粉体吸引装置を使って前記頂部開口部から流れ出る粉体を抽出する工程とを備える方法。
【請求項１８】
請求項１７に記載の方法であって、さらに、
第２の色の粉体を収容する第２の粉体容器を前記粉体容器ベース上に置く工程を具備する方法。